(57)【特許請求の範囲】
【請求項１】
サイロ本体の投入口を閉塞する蓋体の中央両側部にて投入口周縁部に当接させる蓋板を軸支して揺動自在に取り付け、該蓋板を軸支する蓋体の同一両側部にはリンク材の一端を軸着する一方、該リンク材の他端をサイロ本体の投入部に固着した支持体に軸着し、前記リンク材の一端にシリンダのロッド先端部を取り付け、シリンダの伸縮動作によって蓋体が投入口を閉塞・開放する構造とすると共に、蓋体閉塞時には蓋体に揺動自在に軸支した蓋板が角度調整されてサイロ本体の投入口周縁部に密着するように構成したことを特徴とするアスファルト合材の貯蔵サイロ。
【発明の詳細な説明】
【０００１】
【発明の属する技術分野】
本発明は、道路舗装材として用いられるアスファルト合材や加熱したアスファルト廃材等を一時貯蔵する貯蔵サイロに関する。
【０００２】
【従来の技術】
例えば、道路舗装材として用いられるアスファルト合材は、アスファルトプラントにて製造してから一時的に貯蔵サイロに貯蔵することが行われており、この貯蔵サイロは貯蔵するアスファルト合材の品質確保のために密封構造とすることが要求されている。この貯蔵サイロの投入口の蓋体の開閉機構は、図６に示すように、サイロ本体１０１の投入口１０２を閉塞する蓋体１０３を上下に移動させて投入口１０２に密着、離反させるシリンダ１０４と、蓋体１０３と一体化した走行体１０５をレール１０６に沿って横移動させるシリンダ１０７とにより構成し、上記２つのシリンダ１０４、１０７による二段階操作によって蓋体１０３の開閉操作を行っている。
【０００３】
【発明が解決しようとする課題】
しかしながら、前記のような２つのシリンダによって蓋体の密着・離反動作と横移動動作を行っているために装置構造も複雑となってコストもそれなりにかかったものとなっいる。
【０００４】
本発明は上記の点に鑑み、貯蔵サイロの投入部の蓋体の開閉装置を簡易な構造として装置コストの低減化を図った貯蔵サイロを提供することを課題とする。
【０００５】
【課題を解決するための手段】
本発明は上記課題を解決するために、サイロ本体の投入口を閉塞する蓋体の中央両側部にて投入口周縁部に当接させる蓋板を軸支して揺動自在に取り付け、該蓋板を軸支する蓋体の同一両側部にはリンク材の一端を軸着する一方、該リンク材の他端をサイロ本体の投入部に固着した支持体に軸着し、前記リンク材の一端にシリンダのロッド先端部を取り付け、シリンダの伸縮動作によって蓋体が投入口を閉塞・開放する構造とすると共に、蓋体閉塞時には蓋体に揺動自在に軸支した蓋板が角度調整されてサイロ本体の投入口周縁部に密着するように構成したことを特徴としている。
【０００６】
【発明の実施の形態】
本発明のアスファルト合材の貯蔵サイロによれば、シリンダを動作させて蓋体をリンク機構を介して閉塞すると、蓋体を閉じた際に投入口と蓋体とが厳密に平行とならない状態であっても、蓋体に揺動自在に軸支した蓋板がリンク機構によって下方に押え付けられて適宜角度調整がなされて投入口周縁部に密着して密封状態となる。また、シリンダの動作によって蓋体を開放すると、蓋体はリンク開機構によって投入口を開放すると共に後方に後退して投入口からの材料の受け入れ可能状態となる。
【０００７】
このように、リンク機構と一つのシリンダによってサイロ本体の投入口の開放・閉塞を行えると共に閉塞時の密封性も確保でき、この簡易な構造によって装置コストの低減を図ることができる。
【０００８】
【実施例】
以下、本発明の実施例を図面に基づいて説明する。
【０００９】
図中の１は架台２上に載置したアスファルト合材を貯蔵する貯蔵サイロのサイロ本体であって、該サイロ本体１の下部には排出部３を、上部には投入部４をそれぞれ配設している。
【００１０】
５は垂直搬送装置であるスキップエレベータであって、アスファルト合材を投入したバケット６をウインチ７の巻き上げによって地上面からサイロ本体１の上部へと搬送し、前記投入部４よりサイロ本体１へとアスファルト合材を投入するようになっている。
【００１１】
投入部４の上端にはフランジ８を周設した投入口９を開口させ、該投入口４には蓋体１０を配設している。蓋体１０の中央両側部には軸受１１を取り付け、該軸受１１により軸支された軸体１２に吊り板１３を介して平板状の蓋板１４を揺動自在に吊下げている。蓋板１４の底面周囲にはゴム等の可撓性材料よりなるシール材１５を周設し、該シール材１５を投入口９周縁のフランジ８に押しつけることによって気密性を保持できるようにしている。
【００１２】
また、前記蓋体１０の両端近くに軸体１６、１７を貫通して軸支し、それぞれの軸体１６、１７の両側にはリンク材１８の一端を軸着する一方、該リンク材１８の他端をサイロ本体１に固着した支持体１９に突設した軸体２０、２１に軸着し、蓋体１０がリンク機構によって開閉移動するようになっている。そして前記リンク材１８の一端にシリンダ２２のロッド２３先端部を取り付け、シリンダ２２のロッド２３を伸長動作させると蓋体１０が投入口９を閉塞して投入部４のフランジ８に押し付けられ、ロッド２３を縮小動作させると蓋体１０が開放方向に退避する構造としている。
【００１３】
しかして、サイロ本体１にアスファルト合材を投入する時には、シリンダ２２のロッド２３を縮小させ、図５に示すように、蓋体１０を開放方向に後退させる。そして投入口９の上位にスキップエレベータ５のバケット６を移動させて停止させ、アスファルト合材を投入する。
【００１４】
アスファルト合材の投入を完了すると、シリンダ２２のロッド２３を伸長させて蓋体１０を再度投入口９側に戻し、リンク材１８によるリンク機構を利用して投入口９に押し付けると、蓋体１０と投入口９のフランジ８とが厳密に平行とならない状態であっても、蓋体１０に揺動自在に軸支した蓋板１４が下方に押え付けられることによって、蓋板１４の角度が適宜調整されて蓋板１４に周設されたシール材１５が投入口９の周縁部のフランジ８に密着して密封状態となる。
【００１５】
このように、リンク機構と一つのシリンダ２２による簡単な機構でサイロ本体１の投入口９の開放・閉塞を行えると共に閉塞時の密封性も確保でき、装置コストの低減を図ることができる。
【００１６】
【発明の効果】
以上のように、本発明のアスファルト合材の貯蔵サイロにあっては、サイロ本体の投入口を閉塞する蓋体の中央両側部にて投入口周縁部に当接させる蓋板を軸支して揺動自在に取り付け、該蓋板を軸支する蓋体の同一両側部にはリンク材の一端を軸着する一方、該リンク材の他端をサイロ本体の投入部に固着した支持体に軸着し、前記リンク材の一端にシリンダのロッド先端部を取り付け、シリンダの伸縮動作によって蓋体が投入口を閉塞・開放する構造とすると共に、蓋体閉塞時には蓋体に揺動自在に軸支した蓋板が角度調整されてサイロ本体の投入口周縁部に密着するように構成したので、簡単な機構でサイロ本体１の投入口９の開放・閉塞を行えると共に閉塞時の密封も確保でき、装置コストの低減も図ることができる。
【図面の簡単な説明】
【図１】本発明の貯蔵サイロの一実施例の一部を切り欠いた概略説明図である。
【図２】図１の投入部の拡大図である。
【図３】図２の平面図である。
【図４】図２の蓋体部分の一部を切り欠いた拡大図である。
【図５】蓋体の開放状態を示す図である。
【図６】従来の貯蔵サイロの図２に相当する図である。
【符号の説明】
１…サイロ本体              ４…投入部
９…投入口                １０…蓋体
１１…軸受                  １２、１６、１７、２０、２１…軸体
１３…吊り板                １４…蓋板
１５…シール材              １８…リンク材
１９…支持体                ２２…シリンダ
【図１】
0004185617.tif 000002
【図２】
0004185617.tif 000003
【図３】
0004185617.tif 000004
【図４】
0004185617.tif 000005
【図５】
0004185617.tif 000006
【図６】
0004185617.tif 000007